(57)【要約】【課題】飲食注文端末として使用されるタブレット端末の保護、耐久性の向上を図る。【解決手段】本発明に係るタブレット端末用ジャケットは、タッチパネルモニタの表示面を露出させ、コネクタ部分含むタブレット端末筐体の周囲を覆うジャケット筐体と、ジャケット筐体の表面に露出し、タブレット端末の充電ピンと電気的に接続されるプレート電極と、を備えることを特徴とする。【選択図】図５
2014153976.tif 000002
【特許請求の範囲】
【請求項１】
タッチパネルモニタ、充電ピンを有するコネクタを備えたタブレット端末に装着可能なタブレット端末用ジャケットにおいて、
タッチパネルモニタの表示面を露出させ、コネクタ部分含むタブレット端末筐体の周囲を覆うジャケット筐体と、
ジャケット筐体の表面に露出し、タブレット端末の充電ピンと電気的に接続されるプレート電極と、を備えることを特徴とする
タブレット端末用ジャケット。
【請求項２】
タブレット端末のコネクタは、給電ピンを有し、
タブレット端末用ジャケットは、タブレット端末の給電ピンから給電される外部機器を備えたことを特徴とする
請求項１に記載のタブレット端末用ジャケット。
【請求項３】
タブレット端末のコネクタは、通信ピンを有し、
タブレット端末用のジャケットが備える外部機器は、通信ピンを介してタブレット端末と通信を行うことを特徴とする
請求項２に記載のタブレット端末用ジャケット。
【請求項４】
タブレット端末の給電ピンと、プレート電極が接続され、プレート電極から給電されている場合は、プレート電極から外部機器に給電し、プレート電極から給電されていない場合は、タブレット端末の給電ピンから外部機器に給電する電源制御部を備えたことを特徴とする
請求項２または請求項３に記載のタブレット端末用ジャケット。
【請求項５】
タブレット端末と、タブレット端末用ジャケットを備え、
タブレット端末は、
提供する商品に関するメニュー表示を実行するとともに、メニュー表示された商品を選択、確定可能なタッチパネルモニタと、
ネットワークに接続される通信手段と、
充電ピンを有するコネクタと、
タッチパネルにメニュー表示することで、顧客に対して商品を選択、確定可能とし、確定された商品に関する注文情報をネットワークに送信する制御部と、を備え、
タブレット端末用ジャケットは、
タッチパネルモニタの表示面を露出させ、コネクタ部分含むタブレット端末筐体の周囲を覆うジャケット筐体と、
ジャケット筐体の表面に露出し、タブレット端末の充電ピンと電気的に接続されるプレート電極と、を備えたことを特徴とする
飲食注文端末。
【発明の詳細な説明】
【技術分野】
【０００１】
本発明は、タブレット端末に装着することで、タブレット端末を保護するタブレット端末用ジャケット、並びに、タブレット端末にタブレット端末用ジャケットが装着された飲食注文端末に関する。
【背景技術】
【０００２】
従来、レストラン、居酒屋などの飲食店では、商品となる飲食物を顧客に選択させるため、紙媒体によるメニューが用いられていた。顧客はメニューに記載された飲食物を従業員に口頭で伝えることで、当該商品が行われる。
【０００３】
現在、タブレット端末など各種携帯情報端末の高機能化に伴い、携帯情報端末を飲食注文端末として使用し、従業員に対する業務負担の軽減、経費の削減を図られている。特に、携帯情報端末の高画像化、タッチパネル機能を活かし、従来の紙媒体のメニュー同様に容易に注文を行うことが可能となっている。飲食店に来店した顧客は、自身で飲食注文端末を操作する、所謂セルフ操作にて、従業員を介すことなく飲食物を注文することが可能である。また、飲食注文端末は、従来から飲食店で利用されているＰＯＳなどと連携することで会計の簡易化を図ることも可能である。
【０００４】
このように飲食店において、各種便宜を図ることが可能となる飲食注文端末について、さらなる付加機能を追加するため各種提案が行われている。特許文献１には、このような飲食注文端末（電子メニュー装置１０）を使用したオーダリングシステムが開示されている。このオーダリングシステムでは、メニューに係る画像データを複数の表示サイズに切替表示可能とすることで、客層に応じた表示モードに設定することが可能となっている。
【先行技術文献】
【特許文献】
【０００５】
【特許文献１】特許第３８０２７２２号公報
【発明の概要】
【発明が解決しようとする課題】
【０００６】
特許文献１において顧客が使用する飲食注文端末（電子メニュー装置１０）は、複数の顧客による使用を前提としたものであり、乱雑に扱われることなどを想定たものであり、耐久性、防水性を備えた飲食注文端末として専用の端末が開発されることが多かった。ところで、先に紹介したように、タブレット端末は、その普及に伴って低価格化が進み、特に、コンシューマ向けのタブレット端末の価格は著しく入手しやすいものとなっている。
【０００７】
このようなコンシューマ向けのタブレット端末は、機能的には飲食注文端末の仕様に耐え得るものであるが、その筐体は、耐久性、防水性の面において、業務用としての飲食注文端末に耐え得るものとはなっていない。また、コンシューマ向けのタブレット端末には、充電や外部との通信を行うためのコネクタが設けられたものが多い。このようなコネクタは、耐久性の面において脆弱であり、多数回にわたる抜き差しで破損してしまうことが考えられる。また、コネクタにて形成される孔は、防水を行う上で好ましくなく、また、飲食店においては、コネクタの孔に箸が突っ込まれるといったいたずら等で破損することが考えられる。
【０００８】
本発明は、このような課題を解決するため、タブレット端末に装着し、耐久性、防水性の向上を図るとともに、タブレット端末の機能面においても拡張することのできるタブレ
ット端末用ジャケット、並びに、タブレット端末とタブレット端末用ジャケットで構成された飲食注文端末を提供することを目的とするものだある。
【課題を解決するための手段】
【０００９】
そのため、本発明に係るタブレット端末用ジャケットは、
タッチパネルモニタ、充電ピンを有するコネクタを備えたタブレット端末に装着可能なタブレット端末用ジャケットにおいて、
タッチパネルモニタの表示面を露出させ、コネクタ部分含むタブレット端末筐体の周囲を覆うジャケット筐体と、
ジャケット筐体の表面に露出し、タブレット端末の充電ピンと電気的に接続されるプレート電極と、を備えることを特徴とする。
【００１０】
さらに本発明に係るタブレット端末用ジャケットにおいて、
タブレット端末のコネクタは、給電ピンを有し、
タブレット端末用ジャケットは、タブレット端末の給電ピンから給電される外部機器を備えたことを特徴とする。
【００１１】
さらに本発明に係るタブレット端末用ジャケットにおいて、
タブレット端末のコネクタは、通信ピンを有し、
タブレット端末用のジャケットが備える外部機器は、通信ピンを介してタブレット端末と通信を行うことを特徴とする。
【００１２】
さらに本発明に係るタブレット端末用ジャケットは、
タブレット端末の給電ピンと、プレート電極が接続され、プレート電極から給電されている場合は、プレート電極から外部機器に給電し、プレート電極から給電されていない場合は、タブレット端末の給電ピンから外部機器に給電する電源制御部を備えたことを特徴とする。
【００１３】
また本発明に係る飲食注文端末は、
タブレット端末と、タブレット端末用ジャケットを備え、
タブレット端末は、
提供する商品に関するメニュー表示を実行するとともに、メニュー表示された商品を選択、確定可能なタッチパネルモニタと、
ネットワークに接続される通信手段と、
充電ピンを有するコネクタと、
タッチパネルにメニュー表示することで、顧客に対して商品を選択、確定可能とし、確定された商品に関する注文情報をネットワークに送信する制御部と、を備え、
タブレット端末用ジャケットは、
タッチパネルモニタの表示面を露出させ、コネクタ部分含むタブレット端末筐体の周囲を覆うジャケット筐体と、
ジャケット筐体の表面に露出し、タブレット端末の充電ピンと電気的に接続されるプレート電極と、を備えたことを特徴とする。
【発明の効果】
【００１４】
本発明に係るタブレット端末用ジャケットによれば、コンシューマ向けのタブレット端末の耐衝撃性能、耐水性能、耐久性能の向上を図り、タブレット端末を飲食注文端末として使用可能とする。
【図面の簡単な説明】
【００１５】
【図１】本発明の実施形態に係る飲食注文システムの構成を示す図
【図２】本発明の実施形態に係る注文端末の正面斜視図
【図３】本発明の実施形態に係る充電台の正面斜視図
【図４】本発明の実施形態に係る充電台の側面図
【図５】本発明の実施形態に係る注文端末を充電台に載置した時の正面斜視図
【図６】本発明の実施形態に係る注文端末の底面斜視図
【図７】本発明の実施形態に係る充電台、連装充電台への注文端末載置の様子を示す図
【図８】本発明の実施形態に係る注文端末の組立図
【図９】本発明の実施形態に係るタブレット端末、ジャケット、充電台の構成を示すブロック図
【図１０】本発明の実施形態に係るジャケット内部の制御構成を示すブロック図
【図１１】本発明の実施形態に係る連装充電台の正面斜視図
【発明を実施するための形態】
【００１６】
図１は、本発明の実施形態に係る飲食注文端末を含んで構成される飲食注文システムの構成を示す図である。この図は、ある飲食店の店内の様子を模式的に示した図である。飲食店は大きく分けて顧客に飲食物を提供する場となるフロアと、飲食物を調理する場となるキッチン（厨房）に分けられている。
【００１７】
フロアには、飲食注文システムを統括して管理する管理サーバ装置１、各テーブルにおいて顧客が操作する注文端末３ａ〜３ｄ、従業員が携帯することで、受注処理、あるいは、注文状況などの各種情報を確認するためのハンディターミナル９ａ、９ｂが設置される。この他、入店した顧客に対して予約、あるいは、入店待ち時間などを知らせるためのウェイティング端末６が設置されている。
【００１８】
一方、キッチン（厨房）には、料理人に対して注文状況などを知らせるキッチン端末５、キッチンプリンタ５１が設置されている。注文端末３にて受けた注文情報は、このキッチン端末５、キッチンプリンタ５１に出力され、料理人は受注した商品を確認することが可能となっている。
【００１９】
これら店内に設置された各種端末、装置は、ＬＡＮ２、あるいは、アクセスポイント２２にて有線、無線によりネットワーク接続されている。この例では、管理サーバ装置１、キッチン端末装置５、キッチンプリンタ５１は、有線でネットワークに接続されている。また、注文端末３、ハンディターミナル９、ウェイティング端末６は、アクセスポイント２２を介して無線でネットワークに接続されている。
【００２０】
さらに店舗内のネットワークはルータ２１を介してインターネットに接続されており、インターネット上の各種サーバ装置と通信を行うことを可能としている。店舗内に設置された各種装置、端末は、このルータ２１を介してインターネット上の各種サーバ装置と通信し、各種情報をやりとりすることが可能となっている。
【００２１】
図２は、本発明の実施形態に係る注文端末３の正面斜視図である。この注文端末３は、市販されるタブレット端末を使用して構成され、タブレット端末の周囲にジャケット７が装着されて構成されている。この注文端末は、正面にタッチパネルモニタ３２を備え、メニュー表示を行うと共に、顧客によるタッチ入力により商品の注文を行うことを可能としている。また、このタッチパネルモニタ３２の上部には、撮像手段３６ａと照度センサ３６ｂが設けられている。
【００２２】
ジャケット筐体７１の前面には、このタッチパネルモニタ３２を露出させるべく、前部開口７１８が設けられている。図に示すようにこの前部開口は、タブレット端末に設けら
れた撮像手段３６ａと照度センサ３６ｂを露出させるように、それらの位置において上方にえぐられた形状を有している。ジャケット７は、ジャケット筐体７１にてタブレット端末における表示面以外の略全域を覆う形状を有して構成され、外部からの衝撃、水の浸入に耐え得る耐久性に優れた構成を有している。さらに、本実施形態では、このジャケット７の左に発光部としてのＬＥＤ７４が設けられており、タブレット端末の充電状況を視認させることが可能となっている。また、ジャケット７の内部にはＮＦＣセンサ７３（近距離無線通信部）が設けられ、タブレット端末は、このＮＦＣセンサ７３を介して、顧客が所持する非接触ＩＣカードや携帯情報端末との通信を可能としている。
【００２３】
また、ジャケット筐体７１の前部下方には、半円状に切り欠かれた２つの係止凹部７１５Ａ、Ｂが形成されている。注文端末３は、この係止凹部７１５Ａ、Ｂを使用して、充電台４に載置、係合される。ジャケット７に設けられたＬＥＤ７４、ＮＦＣセンサ７３などの各種外部機器、並びに、注文端末３（ジャケット筐体７１）と充電台４との係合については後で説明する。
【００２４】
図３は、本発明の実施形態に係る充電台４の正面斜視図であり、図４は、本発明の実施形態に係る充電台４の側面図である。先に説明した注文端末３は、この充電台４に載置されることで充電される。図３に示されるように、充電台４の前面には、注文端末３を載置するための座面４１１と傾斜面４１５が形成されている。注文端末３は、その下面を座面４１１と当接させるとともに、その背面を傾斜面４１５に当接させることで充電台４上に載置される。
【００２５】
また、注文端末３を係止するため、座面４１１の前面には、半円形状に形成された２つの係止突起４１２Ａ、４１２Ｂが形成されている。そして、傾斜面４１５には、下方に行くほど幅広の形状を有する係止ガイド４１３が形成されている。この係止ガイド４１３の上部には、係止ガイド突起４１３Ａが形成されており、注文端末３側に設けられた突起係合孔と係合することで載置された注文端末３が前方へ転落することを抑制している。
【００２６】
座面４１１は、注文端末３の下面を支持する面であって、本実施形態では、この座面４１１に給電端子４２Ａ、４２Ｂと、載置検出スイッチ４５Ａ、４５Ｂが配置されている。各給電端子４２Ａ、４２Ｂは、クリップ状の２つの電極で構成され、注文端末３が載置された際、注文端末３側に設けられた充電プレートと接触する位置に配置されている。また、電極は、充電台筐体４０内部に設けられたバネなどの弾性部材により上方に押圧された状態となっており、注文端末３の載置により充電プレートと当接した状態で沈む構成となっている。
【００２７】
一方、載置検出スイッチ４５Ａ、４５Ｂは、給電端子４２Ａ、４２Ｂの電極と同様、上方に押圧されており、注文端末３の載置によって沈み、内部に設けられたスイッチが作動するように構成されている。このスイッチが作動することで、充電台４内部の給電制御部が動作し、給電端子４２Ａ、４２Ｂに電力供給を開始する。
【００２８】
なお、本実施形態では、この載置検出スイッチ４５Ａ、４５Ｂの座面４１１からの高さが、充電端子４２Ａ、４２Ｂの座面４１１からの高さよりも高くなるように構成されている。このような構成により、座面４１１にスプーン、ナイフ、フォーク、トングなどの金属部材が不意に置かれた場合であっても、この載置検出スイッチ４５Ａ、４５Ｂにて金属部材を保持し、２つの給電端子４２Ａ、４２Ｂ間にまたがってショートさせないようにしている。
【００２９】
また、充電台４には充電台筐体４０後部に係止バー４１４が設けられており、充電台４筐体４０との間で、紙媒体のメニューや広告などを係止する空間を形成している。図４の
側面図には、この係止空間について挿入位置が矢印で示されている。このように本実施形態の充電台は、紙媒体のメニューや広告などを載置する係止台としての機能も備えたものとなっている。
【００３０】
図５は、本発明の実施形態に係る注文端末３を充電台４に載置した時の正面斜視図である。前述したようにジャケット筐体７１の前面に形成された係止凹部７１２Ａ、７１２Ｂは、充電台４側の係止突起４１２Ａ、４１２Ｂと嵌合し、前方への落下を防いでいる。一方、注文端末３の裏面、すなわち、ジャケット筐体７１の裏面には、充電台４の係止ガイド４１３と係合するための構成が設けられている。
【００３１】
図６は、本発明の実施形態に係る注文端末３の底面斜視図であり、注文端末３を裏面下方から眺めた図である。図では、下側が注文端末３の前方、すなわち、タッチパネルモニタ３２側となっている。図に示されるように注文端末３の下面には、充電用のプレート電極７５Ａ、７５Ｂが設けられている。本実施形態では、平板状のプレート電極を採用することで、タブレット端末のコネクタのようにプラグを抜き差しする必要が無く耐久性に優れたものとなっている。また、タブレット端末のコネクタを設ける場合には筐体に孔が形成されることとなるが、プレート電極７５Ａ、７５Ｂを採用したことで孔を設ける必要が無く、注文端末３として使用する場合、箸などが突っ込まれ故障の原因となることもない。
【００３２】
また、注文端末３の背面、すなわち、ジャケット筐体７１の背面には、充電台４側の係止ガイド４１３と嵌合する係止ガイド凹部７１３が設けられている。この係止ガイド凹部７１３は、係止ガイド４１３と同様、下方程、幅広な形状となっている。このような形状にて、注文端末３を載置する際、注文端末３を適切な位置にガイドすることが可能となっている。また、係止ガイド凹部７１３の頂部には、係止ガイド突起４１３Ａと嵌合する係止ガイド孔７１３Ａが設けられている。
【００３３】
図７（Ａ１）、図７（Ａ２）には、注文端末３を充電台４へ載置する様子が示されている。なお、図７では、充電台４の給電端子４２Ａ、４２Ｂ、載置検出スイッチ４５Ａ、４５Ｂは省略している。図７（Ａ１）は、注文端末３の載置直前の様子を示した図である。図に示すように注文端末３は、注文端末３の裏面に形成された係止ガイド凹部７１３と係止ガイド４１３によってガイドされ、座面４１１上の所定位置に導かれる。この所定位置では、注文端末３側のプレート電極７５Ａ、７５Ｂが、充電台４側の給電端子４２Ａ、４２Ｂと対向して当接する。前述したように係止ガイド４１３、係止ガイド凹部７１３は、下方ほど幅広の形状を有しているため、図７（Ａ１）のように注文端末３が上方に位置するときには比較的嵌合に余裕を有し、注文端末３が下方に移動するに従ってその位置が規制され、載置された状態では所定位置に位置する。
【００３４】
図７（Ａ２）は、充電台４に注文端末３が載置された状態が示されている。図５で説明したようにジャケット筐体７１の前面に形成された係止凹部７１２Ａ、７１２Ｂは、充電台４側の係止突起４１２Ａ、４１２Ｂと嵌合し、前方への落下を防いでいる。また、注文端末３の裏面、すなわち、ジャケット筐体７１の裏面では、充電台４の係止ガイド突起４１３Ａが、注文端末３側の突起係合孔７１３Ａ嵌合し、注文端末３が前に倒れることを防いでいる。このように、本実施形態では、注文端末３の下方前面を係止突起４１２Ａ、４１２Ｂで支持するとともに、注文端末３の裏面において係止突起４１２Ａ、４１２で支持する位置よりも高い位置で係止することで、効果的に注文端末３が前方に倒れることを防いだものとなっている。また、係止突起４１２Ａ（Ｂ）は、注文端末３の下方前面を支持するのみよいため、タッチパネルモニタ３２を遮ることなく、充電台４に設置された注文端末３の表示面を阻害することがない。このような支持構成は、タッチパネルモニタ３２における表示面が、筐体と略同じ大きさとなった形態（タッチパネルモニタ３２周囲のフ
レームが小さい形態）において特に有効である。
【００３５】
では、本発明の実施形態に係る注文端末３について、そのジャケット７構成について詳細に説明を行う。図８は、本発明の実施形態に係る注文端末３の組立図である。前述したように本実施形態の注文端末３は、市販されるタブレット端末３１に保護するためのジャケットを装着することで構成されている。図８の組み立て図は、タブレット端末３１にジャケット７を装着する際の組み立て図となっており、タブレット端末３１は、タッチパネルモニタ３２を下面に向けた状態となっている。
【００３６】
ジャケット７は、タブレット端末３１の前面（タッチパネルモニタ３２側）に配置される筐体前部７１４と、裏面に配置される筐体後部７１１を、筐体７１の主な構成要素として有している。図に示すように筐体前部７１４と筐体後部７１１でタブレット端末３１を挟持し、ネジなどを用いて固定することで、注文端末３におけるジャケット筐体７１が形成される。筐体後部７１１には放音孔７１２が設けられており、タブレット端末３１の放音孔３１２と対向することで、タブレット端末３１から出力された音がジャケット７外部へ導かれる。この放音孔７１２にはフィルムなどを配置したことによる防水機構を持たせることが好ましい。また、筐体前部７１１と筐体後部７１４の間や、前部開口７１８、充電プレート用孔７１６Ａ、７１６Ｂ周囲などには弾性を有するパッキンを配置することで防水機構を持たせることが好ましい。
【００３７】
このタブレット端末３１には、充電機能と通信機能を兼ね備えたコネクタ３３が設けられている。通常の使用では、このコネクタ３３をＡＣアダプタ、あるいは、ＵＳＢ接続することでタブレット端末３１への充電、通信を行うことが可能である。前述したように飲食店における注文端末３としての使用においては、このコネクタ３３は、耐久性の面において脆弱であるとともに、孔として形成されるため防水面などの点において不都合である。
【００３８】
したがって、このタブレット端末３１に装着されるジャケット７には、前述したように充電用の１組のプレート電極７５Ａ、７５Ｂが設けられており、タブレット端末３１のコネクタ３３と有線接続することで、注文端末３としての耐久性の向上が図られている。そのため、ジャケット７には、コネクタ３３とプレート電極７５Ａ、７５Ｂを接続するため、メイン基板７２、補助基板７２３を使用している。メイン基板７２には、プレート電極７５Ａ、７５Ｂが接続されており、補助基板７２３と接続するためのフラットケーブル７２１が設けられている。一方、補助基板７２３にはタブレット端末３１のコネクタ３３と接続するためのプラグ７２５が設けられている。コネクタ３３にプラグ７２５を接続し、フラットケーブル７２１を補助基板７２３のコネクタ７２４と接続することで、コネクタ３３内の充電ピンとプレート電極７５Ａ、７５Ｂは電気的に接続され、タブレット端末３１は、このプレート電極７５Ａ、７５Ｂを介して充電可能な状態となる。
【００３９】
ジャケット７の内部にメイン基板７２が配置された際、プレート基板７５Ａ、７５Ｂは、筐体前部７１４に設けられたプレート基板用孔７１６Ａ、７１６Ｂから対向配置され、図６のようにジャケット７の筐体外部に露出した状態となる。
【００４０】
さらに本実施形態では、このメイン基板７２には、ＬＥＤ７４、ＮＦＣセンサ７３などの外部機器を接続することが可能とされており、これら外部機器に対してタブレット端末３１あるいは充電台４側から給電することで、外部機器を動作させることとしている。ＮＦＣセンサ７３のような外部機器の場合には、タブレット端末３１と通信することも可能となっている。
【００４１】
図８には、ＮＦＣセンサ７３とＬＥＤ７４の配置の様子が示されている。これら外部機
器はフラットケーブル７２６を介してメイン基板７２のコネクタ７２２と電気的に接続されることで機能する。ＬＥＤ７４から照射された光は、筐体前部７１４に設けられたＬＥＤ用窓７１７を介して外部へと照射される。
【００４２】
図９は、本発明の実施形態に係るタブレット端末３１、ジャケット７、充電台４の構成を示すブロック図である。タブレット３１は、制御部として機能するＣＰＵ３４ａ、ＲＯＭ３４ｂ、ＲＡＭ３４ｃ、画像処理部３４ｄ、音声処理部３４ｅを有している。ＣＰＵ３４ａは、ＲＯＭ３４ｂあるいはＨＤＤ３５などの記憶手段に記憶されたプログラムに基づいて、タブレット端末３１、及び、ジャケット７に搭載された外部機器を統括制御する。その際、一時的に生成されたデータなどはＲＡＭ３４ｃに記憶される。
【００４３】
画像処理部３４ｄは、ＣＰＵ３４ａで生成されたデータを画像に変換し、表示部３２ａに表示出力する。音声処理部３４ｅは、ＣＰＵ３４ａで生成されたデータを音声に変換し、スピーカに音声出力する。
【００４４】
本実施形態では、表示部３２ａとタッチパネル３２ｂとでタッチパネルモニタ３２が構成されている。このタッチパネル３２ｂは、表示部３２ａに表示されるアイコンやスイッチなどの各種オブジェクトに対応して、ユーザーからの入力を受け付ける入力手段として機能する。注文端末３には、このタッチパネル３２ｂ以外にも機械的なスイッチなどの入力手段を設けることとしてもよい。タッチパネル３２ｂからの入力情報は、インターフェイス３７ｂを介してＣＰＵ３４ａに伝達される。
【００４５】
ＨＤＤ３５は、ハードディスクであり、タブレット端末３１の記憶手段として機能する。ＨＤＤ３５には、タブレット端末３１を注文端末３として動作させるために必要な各種プログラム情報、あるいは、画像（静止画、動画）、音声などの各種コンテンツなどを記憶する。記憶手段としては、ハードディスク以外に、半導体メモリで構成されたＳＳＤ（Solid State Drive）を使用することも可能である。
【００４６】
タブレット端末３１は、外部からの情報を検出する手段として、撮像手段３６ａ、照度センサ３６ｂを備えている。撮像手段３６ａは、ＣＣＤなどで構成され、外部の様子を静止画、動画として取得することが可能である。この撮像手段３６ａを介して顧客の提示するクーポン券などを撮影、認識し、会計時における割引などに使用するなどのサービスに使用することが考えられる。照度センサ３６ｂは、表示部３２ａの輝度調整に使用されるセンサである。この照度センサ３６ｃで読み取った周囲の輝度に基づいて、表示部３２ａの輝度を調整することで、周囲環境に応じた見やすい画面を表示することが可能となる。
【００４７】
本実施形態のタブレット端末３１は、さらに無線通信部３８を有している。この無線通信部３８はアンテナ３８ａを備え、無線ＬＡＮ規格による無線通信を可能としている。注文端末３としてのタブレット端末３１は、図１に示されるアクセスポイント２２と無線接続することで、ＬＡＮ２にて構成されたネットワークに参加可能し、管理サーバ装置１、キッチン端末５などの各種装置、端末との接続、あるいは、ルータ２１を介したインターネット接続を可能としている。
【００４８】
このタブレット端末３は、バッテリ３９を備え、外部電源に接続することなく単独での使用が可能である。このバッテリ３９は、コネクタ３３と電源線Ｌｐで接続されており、外部からの給電によって充電することが可能である。ＣＰＵ３４ａは、バッテリ３９の残量や、充電状況などを監視することが可能となっている。さらにコネクタ３３は、通信を行うためのインターフェイス３７ｃと通信線Ｌｓを介して接続され、外部との通信を行うことが可能となっている。
【００４９】
このようなタブレット端末３に装着されるジャケット７は、前述したようにタブレット端末３１側のコネクタ３３とプレート電極７５Ａ、７５Ｂを電気的に接続するメイン基板７２を備えて構成されている。さらにこのメイン基板７２は、ジャケット７内に装備されたＮＦＣセンサ７３、ＬＥＤ７４といった外部機器への電源供給、並びに、通信制御を可能としている。ＮＦＣセンサ７３は、非接触でカード媒体、あるいは携帯情報端末と通信を行うためのセンサである。このＮＦＣセンサ７３を使用して顧客の会員情報を読み取ったり、顧客の所持する携帯情報端末に対して各種情報を提供することが可能である。また、ＬＥＤ７４は、タブレット端末３１の充電状態を２色のＬＥＤで表す表示手段であり、２色のＬＥＤの明滅状態を組み合わせ、３色の色表現で充電状態を表示する。なお、本実施形態では、充電状態においてのみ点灯し充電状態を外部に報知することとしている。
【００５０】
注文端末３に対して充電を行う充電台４は、ＤＣ変換部４１、給電制御部４４を備えて構成されている。このＤＣ変換部４１は、電源ライン４３から供給される交流電源を、設定された電圧の直流電源に変換し、プラス極、マイナス極からなる給電端子４２Ａ、４２Ｂに直流電源を供給する。また、図３で説明したように充電台４の座面４１１には、載置検出スイッチ４５Ａ、４５Ｂが設けられており、給電制御部４４は、注文端末３が座面４１１に設置され、両方の載置検出スイッチ４５Ａ、４５Ｂが作動状態となったことを条件として、ＤＣ変換部３１から給電端子４２Ａ、４２Ｂに直流電源を供給するようにしており、安全性の向上が図られている。
【００５１】
図１０は、本発明の実施形態に係るジャケット７内部の制御構成を示すブロック図である。本実施形態では、ＮＦＣセンサ７３、ＬＥＤ７４に対する電源供給、タブレット端末３１との通信を可能とするためメイン基板７２には、電源制御部７２ａ、シリアル変換部７２ｂ、ＮＦＣ制御部７２ｃが設けられている。図中、褐色で示す矢印は電源供給を示したものであり、白色で示す矢印は通信制御を示したものである。タブレット端末３１側のコネクタ３３内部には、充電ピン３３ａ、給電ピン３３ｂ、通信ピン３３ｃ（本実施形態ではＵＳＢ通信）が設けられている。充電台４の給電端子から供給された直流電源は、コネクタ３３の充電ピン３３ａを介してタブレット端末３１に供給される。
【００５２】
また、充電台４の給電端子から供給された直流電源は、メイン基板７２の電源制御部７２ａに対しても供給される。この電源制御部７２ａには、タブレット端末３１の給電ピン３３ｂからも給電を行うことが可能となっている。電源制御部７２ａは、充電状態か否か、すなわち、充電端子７５Ａ、７５Ｂから給電を受けているか否かによってＮＦＣセンサ７３、ＬＥＤ７４への給電を、充電台４側からとするか、もしくは、タブレット端末３１側からとするかを切り替えを行う。すなわち、電源制御部７２ａは、充電台４側（給電端子７５Ａ、７５Ｂ）から給電を受けているときは、給電端子７５Ａ、７５Ｂからの給電をシリアル変換部７２ｂ、ＮＦＣ制御部７２ｃといった外部機器に供給する。一方、充電台４側（給電端子７５Ａ、７５Ｂ）から給電を受けていないときは、電源制御部７２ａは、タブレット端末３１側（給電ピン３３ｂ）から外部機器への給電を行うこととしている。
【００５３】
このような構成を採用することで、タブレット端末３１を充電する際、外部機器に対しては充電台４から給電を行うことで、バッテリ３９の充電時間の短縮を図ることが可能である。
【００５４】
コネクタ３３内の通信ピン３３ｃは、ＮＦＣセンサ７３、ＬＥＤ７４といった外部機器との通信に使用される。メイン基板７２のシリアル変換部７２ｂでは、通信ピン３３ｃと外部機器との間の信号をシリアル変換する。本実施形態では、外部機器としてＬＥＤ７４、ＮＦＣセンサ７３が設けられており、タブレット端末３１は、元々備えていない機能を、ジャケット７に装備された外部機器によって拡張することが可能となっている。なお、ＮＦＣセンサ７３を備えたタブレット端末３１も存在するが、そのＮＦＣセンサ７３のア
ンテナ位置が筐体の裏面側に配置されているなど、注文端末３としての利用形態では、使用が困難な場合がある。また、ジャケット７を装着したことで、受信感度が衰えてしまうことが考えられる。
【００５５】
本実施形態では、このような場合にも対応できるものであり、ＮＦＣセンサ７３を注文端末３として使用しやすい位置に配置することが可能となっている。外部機器としては、このようなＮＦＣセンサ７３、ＬＥＤ７４に限ったものでは無く、撮像手段、マイクロホン、ＧＰＳセンサ、加速度センサ、など各種採用することが可能である。
【００５６】
図３〜図５で説明した充電台４は、図１のテーブル上に設置される１台充電タイプのものを説明したが、複数の注文端末３を扱う飲食店では、１箇所で複数の注文端末３を充電したい場合がある。図１１には、このような複数台の注文端末３の充電に使用される連装充電台４Ｓの正面斜視図が示されている。本実施形態では、Ｓｌｏｔ１〜Ｓｌｏｔ５が設けられ、各Ｓｌｏｔ上に注文端末３を載置することで５台までの充電を行うことが可能となっている。各Ｓｌｏｔについては、図３で説明した形態と略同様であるため、詳細な説明は省略する。なお、この連装充電台４Ｓ中、注文端末３の背面に位置する係止ガイド４１３は、１台充電タイプのものと異なり、係止ガイド突起４１３Ａが設けられていない点において異なっている。
【００５７】
図７（Ｂ２）には、この連装充電台４Ｓに注文端末３を設置した際の様子が示されている。図７（Ａ２）の場合と異なり係止ガイド突起４１３Ａが設けられていないため、注文端末３側の突起係合孔７１３Ａには、何も係合していない状態となっている。連装充電台４Ｓは、従業員によって使用されることが多く、注文端末３が前に倒れることよりもいち早く脱着可能とすることが好ましい。本実施形態の連装充電台４Ｓは、そのため係止ガイド突起４１３を設けないことで、従業員による注文端末３の迅速な脱着を可能となっている。
【００５８】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００５９】
１…管理サーバ装置、２…ＬＡＮ、２１…ルータ、２２…アクセスポイント
３…注文端末、３１…タブレット端末、３１１…タブレット端末筐体、３１２…放音孔、３２…タッチパネルモニタ、３２ａ…表示部、３２ｂ…タッチパネル、３３…コネクタ（タブレット端末）、３３ａ…充電ピン、３３ｂ…給電ピン、３３ｃ…通信ピン（ＵＳＢ）、３４…制御部、３４ａ…ＣＰＵ、３４ｂ…ＲＯＭ、３４ｃ…ＲＡＭ、３４ｄ…画像処理部、３４ｅ…音声処理部、３５…ＨＤＤ（記憶部）、３６ａ…撮像手段、３６ｂ…照度センサ、３７ａ、ｂ、ｃ…インターフェイス、３８…無線通信部、３８ａ…アンテナ、３９…バッテリ
４…充電台（クレードル）、４Ｓ…連装充電台、４１…ＤＣ変換部、４２Ａ（Ｂ）…給電端子、４３…電源ライン、４４…給電制御部、４５Ａ（Ｂ）…載置検出スイッチ
４０…充電台筐体、４１１…座面、４１２Ａ（Ｂ）…係止突起、４１３…係止ガイド、４１３Ａ…係止ガイド突起、４１４…係止バー
５…キッチン端末、５１…キッチンプリンタ、６…ウェイティング端末
７…ジャケット、７１…ジャケット筐体、７１１…筐体後部、７１１Ａ（Ｂ）…係合凹部、７１２…放音孔、７１３…係止ガイド凹部、７１３Ａ…突起係合孔、７１４…筐体前部、７１５Ａ（Ｂ）…係止凹部、７１６Ａ（Ｂ）…プレート基板用孔、７１７…ＬＥＤ用窓７２…メイン基板、７２ａ…電源制御部、７２ｂ…シリアル変換部、７３ｃ…ＮＦＣ制御部、７２１…フラットケーブル、７２２…コネクタ、７２３…補助基板、７２４…コネク
タ、７２５…プラグ、７２６…フラットケーブル、７３…ＮＦＣセンサ、７４…ＬＥＤ、７５Ａ（Ｂ）…プレート電極
９…ハンディターミナル
【図１】
2014153976.tif 000003
【図２】
2014153976.tif 000004
【図３】
2014153976.tif 000005
【図４】
2014153976.tif 000006
【図５】
2014153976.tif 000007
【図６】
2014153976.tif 000008
【図７】
2014153976.tif 000009
【図８】
2014153976.tif 000010
【図９】
2014153976.tif 000011
【図１０】
2014153976.tif 000012
【図１１】
2014153976.tif 000013